(57)【要約】【課題】  平衡度を改善できる、不平衡−平衡変換機能を有する弾性表面波装置及び通信機を提供する。【解決手段】  圧電基板２００上に、複数のくし型電極部２０７〜２０９、２２０〜２２２を備えた縦結合共振子型の弾性表面波フィルタ素子２０１、２０２を平衡−不平衡変換機能を有するようにそれぞれ設ける。一方のバスバーが二分割されたくし型電極部８０３、８０６を有する１ポート弾性表面波共振子８０１、８０２を弾性表面波フィルタ素子２０１、２０２にそれぞれ接続して設ける。１ポート弾性表面波共振子８０１、８０２は、それらの二分割された各バスバー８０４、８０５、８０７、８０８の少なくとも一組が非対称である。【選択図】  図１                                                              
2005223810.tif 000002
【特許請求の範囲】
【請求項１】
圧電基板上に、弾性表面波の伝搬方向に沿って３つのくし型電極部と、前記３つのくし型電極部を両側から挟むリフレクタとを有する縦結合共振子型の弾性表面波フィルタ素子、及び１つのくし型電極部と該くし型電極部を両側から挟むリフレクタとを有する１ポート弾性表面波共振子が設けられ、
前記１ポート弾性表面波共振子の一方のバスバーが中央付近で二分割され、前記１ポート弾性表面波共振子の二分割された各バスバーが前記弾性表面波フィルタ素子における中央くし型電極部と異なる各くし型電極部にそれぞれ接続され、
前記弾性表面波フィルタ素子が、２つでもって平衡−不平衡変換機能を有するように構成された弾性表面波装置において、
前記１ポート弾性表面波共振子は、前記１ポート弾性表面波共振子の前記二分割されたくし型電極部が非対称であることを特徴とする弾性表面波装置。
【請求項２】
圧電基板上に、弾性表面波の伝搬方向に沿って、一方側から、第１乃至第３の３つのくし型電極部を有し、前記３つのくし型電極部を両側から挟むリフレクタを有する縦結合共振子型の弾性表面波フィルタ素子が設けられ、
１つのくし型電極部と、該くし型電極部を両側から挟むリフレクタを有する１ポート弾性表面波共振子が設けられ、
前記１ポート弾性表面波共振子の一方のバスバーが中央付近で二分割され、前記１ポート弾性表面波共振子の二分割された一方のバスバーが、前記弾性表面波フィルタ素子の第１のくし型電極部の一方のバスバーと接続され、
前記１ポート弾性表面波共振子の二分割された他方のバスバーが、前記縦結合弾性表面波フィルタ素子の第３のくし型電極部の一方のバスバーと接続され、平衡−不平衡変換機能を有するように構成された弾性表面波装置において、
前記１ポート弾性表面波共振子は、前記１ポート弾性表面波共振子の前記二分割されたくし型電極部が非対称であることを特徴とする弾性表面波装置。
【請求項３】
前記弾性表面波フィルタ素子の第２のくし型電極部が弾性表面波の伝搬方向に二分割されていることを特徴とする請求項２記載の弾性表面波装置。
【請求項４】
前記弾性表面波フィルタ素子の第２のくし型電極部が交叉幅方向に二分割されていることを特徴とする請求項２記載の弾性表面波装置。
【請求項５】
圧電基板上に、弾性表面波の伝搬方向に沿って、一方側から、第１乃至第５の５つのくし型電極部を有し、前記５つのくし型電極部を両側から挟むリフレクタを有する縦結合共振子型の弾性表面波フィルタ素子が設けられ、
１つのくし型電極部と、該くし型電極部を両側から挟むリフレクタを有する１ポート弾性表面波共振子が２つ設けられ、
前記第１及び第２の１ポート弾性表面波共振子の一方のバスバーが中央付近で二分割され、前記縦結合弾性表面波フィルタ素子の第３のくし型電極部が弾性表面波の伝搬方向に二分割され、
前記第１の１ポート弾性表面波共振子の二分割された一方のバスバーが、前記縦結合弾性表面波フィルタ素子の第１のくし型電極部の一方のバスバーと接続され、
前記第１の１ポート弾性表面波共振子の二分割された他方のバスバーが、前記縦結合弾性表面波フィルタ素子の第３のくし型電極部の二分割された一方のバスバーと接続され、
前記第２の１ポート弾性表面波共振子の分割された一方のバスバーが、前記縦結合弾性表面波フィルタ素子の第５のくし型電極部の一方のバスバーと接続され、
前記第２の１ポート弾性表面波共振子の分割された他方のバスバーが、前記縦結合弾性表面波フィルタ素子の第３のくし型電極部の二分割された他方のバスバーと接続され、
前記縦結合弾性表面波フィルタ素子の第２のくし型電極部と第４のくし型電極部とを並列接続して、不平衡入力端子とし、
前記第１の１ポート弾性表面波共振子の他方のバスバーと、前記第２の１ポート弾性表面波共振子の他方のバスバーとを平衡出力端子として、平衡−不平衡変換機能を有するように構成された弾性表面波装置において、
前記１ポート弾性表面波共振子は、前記１ポート弾性表面波共振子の前記二分割されたくし型電極部が非対称であることを特徴とする弾性表面波装置。
【請求項６】
前記１ポート弾性表面波共振子における、くし型電極部の仮想中央線に対し非対称であることは、二分割された各バスバーにおける各電極の本数、電極指ピッチ、電極指のｄｕｔｙ、くし型電極部とリフレクタとの中心間距離、及び、くし型電極部とリフレクタとの電極指ピッチの比、からなる群より選択された少なくとも一つであることを特徴とする請求項１乃至５の何れか１項に記載の弾性表面波装置。
【請求項７】
請求項１乃至６の何れか１項に記載の弾性表面波装置を有することを特徴とする通信機。
【発明の詳細な説明】
【技術分野】
【０００１】
本発明は、フィルタ機能と平衡−不平衡変換機能とを備え、平衡度が改善された弾性表面波装置、通信機に関するものである。
【背景技術】
【０００２】
携帯電話機の小型化及び軽量化が進んでおり、これを実現するため、複数の機能を複合化した電子部品を採用する方向にある。この流れに沿って、携帯電話機のＲＦ段に使用される弾性表面波（以下、ＳＡＷと記す）フィルタについても、フィルタ機能に加えて、平衡−不平衡変換機能、いわゆるバラン機能を持たせたものが研究されている。
【０００３】
また、ＳＡＷフィルタについて、性能的には、通過帯域の外側のごく近傍が高減衰であることが要求されている。このような要求を満たす手段としては、特許文献１に記載されているように、縦結合ＳＡＷフィルタ素子にＳＡＷ共振子を直列接続したＳＡＷフィルタが挙げられる。
【０００４】
図１４及び図１５に示すように、上記ＳＡＷフィルタの構成は、３ＩＤＴ（くし型電極部）タイプの縦結合共振子型のＳＡＷフィルタ素子１０１に対して直列にＳＡＷ共振子１０２が接続されて圧電基板１００上に設けられている。
【０００５】
ＩＤＴとは、圧電基板上に、帯状のバスバーに対し、その側部から上記バスバーの長手方向に直交する方向に延びる、複数の、互いに平行で離間したくし歯状電極を、一組、互いのくし歯状電極が互いに交叉されて有するものである。このようなＩＤＴでは、電気信号が入力されると圧電基板上に所定周波数のＳＡＷが各くし歯状電極の幅方向に沿って発生し、発生したＳＡＷは他のＩＤＴで電気信号として検出されるのでフィルタ機能を発揮できる。
【０００６】
上述した、ＳＡＷフィルタ素子１０１とＳＡＷ共振子１０２との周波数関係は、ＳＡＷ共振子１０２の反共振周波数がＳＡＷフィルタ素子１０１の通過域より高周波側に、共振周波数が通過域内に位置するように設定されている。
【０００７】
これにより、ＳＡＷ共振子１０２の反共振周波数がＳＡＷフィルタ素子１０１の通過帯域より高周波側に位置しているので、通過帯域高周波外側のごく近傍の減衰量が大きくなり、かつ共振周波数が通過帯域内に位置しているので通過帯域内の挿入損失の大きな劣化は回避されている。
【特許文献１】特開平７−３０３６７号公報（公開日：１９９５年１月３１日）
【発明の開示】
【発明が解決しようとする課題】
【０００８】
しかしながら、上記特許文献１に記載のＳＡＷフィルタを２つ用いて、フィルタ機能と、平衡−不平衡変換機能とを有するＳＡＷ装置を構成した場合、平衡信号端子間の平衡度が悪いという問題を生じている。
【０００９】
本発明は、平衡−不平衡変換機能を持たせ、かつＳＡＷ共振子を直列接続したＳＡＷフィルタにおいて、そのＳＡＷ共振子の構成を工夫することにより、平衡信号端子間の平衡度を改善したＳＡＷ装置を提供することを目的としている。
【課題を解決するための手段】
【００１０】
本発明者らは、上記問題について種々検討したところ、この原因は、平衡−不平衡変換機能を持たせるために、一方のＳＡＷフィルタの位相を反転させると、隣り合うＩＤＴ同士の最外電極指の極性関係が一方のＳＡＷフィルタと他方のＳＡＷフィルタとで異なってしまうため、接地容量や橋絡容量の影響が異なるためであることを見出し、本発明を完成した。
【００１１】
本発明のＳＡＷ装置は、以上の課題を解決するために、圧電基板上に、弾性表面波の伝搬方向に沿って３つのＩＤＴと、前記３つのＩＤＴを両側から挟むリフレクタとを有する縦結合共振子型のＳＡＷフィルタ素子、及び１つのＩＤＴと該ＩＤＴを両側から挟むリフレクタとを有する１ポートＳＡＷ共振子が設けられ、前記１ポートＳＡＷ共振子の一方のバスバーが中央付近で二分割され、前記１ポートＳＡＷ共振子の二分割された各バスバーが前記ＳＡＷフィルタ素子における中央ＩＤＴと異なる各ＩＤＴにそれぞれ接続され、前記ＳＡＷフィルタ素子が、２つでもって平衡−不平衡変換機能を有するように構成されたＳＡＷ装置において、前記１ポートＳＡＷ共振子は、前記１ポートＳＡＷ共振子の前記二分割されたＩＤＴが非対称であることを特徴としている。
【００１２】
本発明の他のＳＡＷ装置は、前記課題を解決するために、圧電基板上に、ＳＡＷの伝搬方向に沿って、一方側から、第１乃至第３の３つのＩＤＴを有し、前記３つのＩＤＴを両側から挟むリフレクタを有する縦結合共振子型のＳＡＷフィルタ素子が設けられ、１つのＩＤＴと、該ＩＤＴを両側から挟むリフレクタを有する１ポートＳＡＷ共振子が設けられ、前記１ポートＳＡＷ共振子の一方のバスバーが中央付近で二分割され、前記１ポートＳＡＷ共振子の二分割された一方のバスバーが、前記ＳＡＷフィルタ素子の第１のＩＤＴの一方のバスバーと接続され、前記１ポートＳＡＷ共振子の二分割された他方のバスバーが、前記縦結合ＳＡＷフィルタ素子の第３のＩＤＴの一方のバスバーと接続され、平衡−不平衡変換機能を有するように構成されたＳＡＷ装置において、前記１ポートＳＡＷ共振子は、前記１ポートＳＡＷ共振子の前記二分割されたＩＤＴが非対称であることを特徴としている。
【００１３】
上記ＳＡＷ装置では、前記ＳＡＷフィルタ素子の第２のＩＤＴがＳＡＷの伝搬方向に二分割されていてもよい。
【００１４】
上記ＳＡＷ装置においては、前記ＳＡＷフィルタ素子の第２のＩＤＴが交叉幅方向に二分割されていてもよい。
【００１５】
本発明のさらに他のＳＡＷ装置は、前記課題を解決するために、圧電基板上に、ＳＡＷの伝搬方向に沿って、一方側から、第１乃至第５の５つのＩＤＴを有し、前記５つのＩＤＴを両側から挟むリフレクタを有する縦結合共振子型のＳＡＷフィルタ素子が設けられ、１つのＩＤＴと、該ＩＤＴを両側から挟むリフレクタを有する１ポートＳＡＷ共振子が２つ設けられ、前記第１及び第２の１ポートＳＡＷ共振子の一方のバスバーが中央付近で二分割され、前記縦結合ＳＡＷフィルタ素子の第３のＩＤＴがＳＡＷの伝搬方向に二分割され、前記第１の１ポートＳＡＷ共振子の二分割された一方のバスバーが、前記縦結合ＳＡＷフィルタ素子の第１のＩＤＴの一方のバスバーと接続され、前記第１の１ポートＳＡＷ共振子の二分割された他方のバスバーが、前記縦結合ＳＡＷフィルタ素子の第３のＩＤＴの二分割された一方のバスバーと接続され、前記第２の１ポートＳＡＷ共振子の分割された一方のバスバーが、前記縦結合ＳＡＷフィルタ素子の第５のＩＤＴの一方のバスバーと接続され、前記第２の１ポートＳＡＷ共振子の分割された他方のバスバーが、前記縦結合ＳＡＷフィルタ素子の第３のＩＤＴの二分割された他方のバスバーと接続され、前記縦結合ＳＡＷフィルタ素子の第２のＩＤＴと第４のＩＤＴとを並列接続して、不平衡入力端子とし、前記第１の１ポートＳＡＷ共振子の他方のバスバーと、前記第２の１ポートＳＡＷ共振子の他方のバスバーとを平衡出力端子として、平衡−不平衡変換機能を有するように構成されたＳＡＷ装置において、前記１ポートＳＡＷ共振子は、前記１ポートＳＡＷ共振子の前記二分割されたＩＤＴが非対称であることを特徴としている。
【００１６】
上記ＳＡＷ装置では、前記１ポートＳＡＷ共振子における、前記二分割された各ＩＤＴが互いに非対称であることは、二分割された各バスバーにおける各電極の本数、電極指ピッチ、電極指のｄｕｔｙ、ＩＤＴとリフレクタとの中心間距離、及び、ＩＤＴとリフレクタとの電極指ピッチの比、からなる群より選択された少なくとも一つであってもよい。
【００１７】
本発明の通信機は、前記課題を解決するために、上記の何れかに記載のＳＡＷ装置を有することを特徴としている。
【００１８】
上記構成によれば、前記１ポートＳＡＷ共振子における、前記二分割された各ＩＤＴが互いに非対称とすることで、平衡信号端子間の平衡度をさらに調整できて、上記平衡度を改善することが可能となる。
【発明の効果】
【００１９】
本発明のＳＡＷ装置は、以上のように、縦結合ＳＡＷフィルタの出力を２つに分けて出力し、１ポートＳＡＷ共振子の一方のバスバーを二分割し、二分割したそれぞれのバスバーを前記縦結合ＳＡＷフィルタの２つの出力（入力）に接続し、前記１ポートＳＡＷ共振子の他方のバスパーを出力端子（入力端子）としたＳＡＷフィルタを２つ用いて、不平衡−平衡変換機能を有するように構成されたＳＡＷ装置において、前記１ポートＳＡＷ共振子の前記二分割されたＩＤＴを非対称にする構成である。
【００２０】
それゆえ、上記構成は、平衡信号端子間の平衡度を改善した、ＳＡＷ装置が得られるという効果を奏する。
【発明を実施するための最良の形態】
【００２１】
本発明の実施の各形態について図１ないし図１３に基づいて説明すれば、以下の通りである。
【００２２】
図１及び図２を用いて、本発明の実施の第一形態の構成を説明する。なお、以後の実施の第一形態では、ＤＣＳ受信用フィルタを例にとって説明を行っていく。まず、図１及び図２を用いて、実施の第一形態の電極構成について説明する。実施の第一形態では、４０±５°ＹｃｕｔＸ伝搬ＬｉＴａＯ3の圧電基板２００上に縦結合共振子型の各ＳＡＷフィルタ素子２０１、２０２、ＳＡＷ共振子８０１、８０２が、Ａｌ電極により形成されている。
【００２３】
実施の第一形態の構成は、各ＳＡＷフィルタ素子２０１、２０２を用いて平衡−不平衡変換機能を有するように設定したＳＡＷ装置である。縦結合共振子型のＳＡＷフィルタ素子２０１では、ＩＤＴ２０８をＳＡＷの伝搬方向に沿って挟み込むように各ＩＤＴ２０７、２０９がそれぞれ形成され、さらに、それらの両側に各リフレクタ２１０、２１１がそれぞれ形成されている。
【００２４】
図１を見るとわかるように、ＩＤＴ２０７とＩＤＴ２０８との間、およびＩＤＴ２０８とＩＤＴ２０９との間における数本の電極指のピッチを、ＩＤＴの他の部分よりも小さくしている。
【００２５】
縦結合共振子型のＳＡＷフィルタ素子２０２の構成は、基本的にはＳＡＷフィルタ素子２０１と同じであるが、ＩＤＴ２０７とＩＤＴ２０８とに対して対応する各ＩＤＴ２２０、２２２が反転されている点が異なる。
【００２６】
ＩＤＴ２０８とＩＤＴ２２１は不平衡信号端子２１４に接続されている。ＩＤＴ２０７及びＩＤＴ２０９と、ＩＤＴ２２０及びＩＤＴ２２２とはそれぞれ各ＳＡＷ共振子８０１、８０２を介して、それぞれ平衡信号端子２１５、２１６に接続されている。
【００２７】
その上、縦結合共振子型のＳＡＷフィルタ素子２０２のＩＤＴ２２０には、８０９（隣り合う、中央のＩＤＴ２２１に対面する位置）で示した箇所において直列重み付けが施されている。この直列重み付けにより、平衡信号端子間の平衡度を向上させることが可能となる。
【００２８】
ＳＡＷ共振子８０１の構成は、ＩＤＴ８０３、８０６の一方のバスバーのみをＳＡＷの伝搬方向に沿って２分割し、それぞれ各ＳＡＷフィルタ素子２０１、２０２の各ＩＤＴ２０７、２０９、２２０、２２２に対し直列接続している。このとき、ＳＡＷフィルタ素子２０２の各ＩＤＴ２２０、２２２にそれぞれ接続しているＳＡＷ共振子８０２の各ＩＤＴ８０７、８０８の総本数を互いに１０本異ならせている。これにより、ＳＡＷ共振子８０２は、ＳＡＷの伝搬方向に沿った中心線に対し非対称となっている。
【００２９】
本実施の第一形態のＳＡＷ装置は、図３に示すように、圧電基板４０５の電極面とパッケージのダイアタッチ面４０３の間をバンプ４０６で導通を取るフェイスダウン工法を用いて作製されている。パッケージは底板４０１と側壁部４０２、キャップ４０４からなっている。
【００３０】
縦結合共振子型の各ＳＡＷフィルタ素子２０１、２０２の詳細な設計は、ピッチを小さくしていない電極指のピッチで決まる波長をλＩとすると、
交叉幅：４１．８λＩ
ＩＤＴ本数（２０７、２０８、２０９の順）：１８（３）／（３）３３（３）／（３）１８本（カッコ内はピッチを小さくした電極指の本数）
リフレクタ本数：６０本（２０１）、９０本（２０２）
ｄｕｔｙ：０．７２（ＩＤＴ）、０．５７（リフレクタ）
電極膜厚：０．０９２λＩ
ＳＡＷ共振子８０１、８０２の詳細な設計は、以下のとおりである。
交叉幅：３４．９λＩ
ＩＤＴ本数：１２５本
リフレクタ本数：３０本
ｄｕｔｙ：０．６０
電極膜厚：０．０９３λＩ
次に、本実施の第一形態における作用・効果について説明する。図４に、実施の第一形態の構成における周波数−コモンモード減衰量（平衡信号端子間の平衡度を示す特性値）特性、図５に周波数−伝送特性を示す。また、図６に示す比較例の各特性も図４及び図５に合わせてそれぞれ示す。比較例の設計は、縦結合共振子型ＳＡＷフィルタ素子２０１、２０２の設計は実施の第一形態と同じであり、ＳＡＷ共振子２０３’、２０５’の設計は、実施の第一形態のようにＩＤＴを２分割していない点以外は、すべて同じ設計である。
【００３１】
図４を見ると、比較例に比べて実施の第一形態は、１８９０ＭＨｚ付近のコモンモード減衰量が約２ｄＢ改善している。このとき、図５に示すように、伝送特性は実施の第一形態と比較例とでほとんど変わらない。つまり、実施の第一形態では、他の電気的特性にほとんど影響を与えず、コモンモード減衰量のみを改善することができる。
【００３２】
このような効果が得られた理由としては、縦結合共振子型のＳＡＷフィルタ素子２０２のＩＤＴ２２０は、８０９（隣り合う、中央のＩＤＴ２２１に対面する位置）で示した箇所において直列重み付けを行っていることが挙げられる。この直列重み付けは、平衡信号端子間の平衡度を向上させるために実施している。
【００３３】
その上、上記のようにＳＡＷ共振子８０２が左右非対称な設計の場合、実施の第一形態のように平衡信号端子に接続される各ＩＤＴ２２０、２２２のそれぞれに対し、ＳＡＷ共振子８０２の分割した各分割くし歯状電極８０７、８０８を接続し、かつ各分割くし歯状電極８０７、８０８で設計パラメータを互いに調整することで、さらに平衡信号端子間の平衡度を調整することができるためである。
【００３４】
実施の第一形態は、各分割くし歯状電極８０７、８０８にて、各電極の本数を互いの間にて調整することで、平衡信号端子間の平衡度をさらに調整したものである。実施の第一形態では、各分割くし歯状電極８０７、８０８において、各電極の本数を互いに調整したが、これは別の設計パラメータ、例えば電極指ピッチ、電極指のｄｕｔｙ、ＩＤＴとリフレクタの中心間距離、ＩＤＴとリフレクタの電極指ピッチの比などを調整しても、本発明の効果は得られる。
【００３５】
なお、実施の第一形態では図３のように、フェイスダウン工法でパッケージと圧電基板の導通を取る方法でＳＡＷ装置を作製したが、これはワイヤボンド工法であっても問題はない。
【００３６】
また、フェイスダウン工法で作製する構成としては図３の構成に限らず、例えば図７のように集合基板５０１上に圧電基板５０２をフリップチップ工法で接合し、その上に樹脂５０３を覆って封止して、ダイシングにより１パッケージ単位に切断する構成、図８のように同じく集合基板５０１上に圧電基板５０２をフリップチップ工法で接合し、その上にシート状の樹脂材５１３を覆って封止して、ダイシングにより１パッケージ単位に切断する構成で、ＳＡＷ装置が作製されていてもよい。
【００３７】
また、実施の第一形態では、縦結合共振子型の各ＳＡＷフィルタ素子２０１、２０２の詳細な設計を同じとしたが、必要に応じて別の設計パラメータを異ならせてもよい。実施の第一形態においては、圧電基板２００として、４０±５°ＹｃｕｔＸ伝搬ＬｉＴａＯ3を用いたが、効果が得られる原理からもわかるとおり、本発明は、この圧電基板に限らず、６４°〜７２°ＹｃｕｔＸ伝搬ＬｉＮｂＯ3、４１°ＹｃｕｔＸ伝搬ＬｉＮｂＯ3などの基板でも同様な効果が得られる。
【００３８】
さらに、実施の第一形態では２つのＳＡＷフィルタ素子２０１、２０２を用いて平衡−不平衡変換機能を有する構成を示したが、この構成は、図９乃至図１２に記載の何れかのように１つの縦結合共振子型のＳＡＷフィルタ素子を用いて平衡−不平衡変換機能を有するＳＡＷ装置を構成してもよい。
【００３９】
図９は、前記ＳＡＷフィルタ素子の中央のＩＤＴ（第２のくし型電極部）がＳＡＷの伝搬方向に二分割されているものである。図１０は、前記ＳＡＷフィルタ素子の中央のＩＤＴ（第２のくし型電極部）における、互いに交叉するくし歯状電極にそれぞれ平衡信号端子を接続したものである。
【００４０】
図１１は、前記ＳＡＷフィルタ素子の中央のＩＤＴ（第２のくし型電極部）が交叉幅方向に二分割されているものである。図１２は、前記ＳＡＷフィルタ素子が５つのＩＤＴからなり、中央のＩＤＴがＳＡＷの伝搬方向に二分割されているものである。
【００４１】
次に、上記実施の形態の何れかに記載のＳＡＷ装置を用いた通信機について図１３に基づき説明する。上記通信機６００は、受信を行うレシーバ側（Ｒｘ側）として、アンテナ６０１、アンテナ共用部／ＲＦＴｏｐフィルタ６０２、アンプ６０３、Ｒｘ段間フィルタ６０４、ミキサ６０５、１ｓｔＩＦフィルタ６０６、ミキサ６０７、２ｎｄＩＦフィルタ６０８、１ｓｔ＋２ｎｄローカルシンセサイザ６１１、ＴＣＸＯ（temperature compensated crystal oscillator（温度補償型水晶発振器））６１２、デバイダ６１３、ローカルフィルタ６１４を備えて構成されている。
【００４２】
Ｒｘ段間フィルタ６０４からミキサ６０５へは、図１３に二本線で示したように、バランス性を確保するために各平衡信号にて送信することが好ましい。
【００４３】
また、上記通信機６００は、送信を行うトランスミッタ側（Ｔｘ側）として、上記アンテナ６０１および上記アンテナ共用部／ＲＦＴｏｐフィルタ６０２を共用するとともに、ＴｘＩＦフィルタ６２１、ミキサ６２２、Ｔｘ段間フィルタ６２３、アンプ６２４、カプラ６２５、アイソレータ６２６、ＡＰＣ（automatic power control（自動出力制御））６２７を備えて構成されている。
【００４４】
そして、上記のＲｘ段間フィルタ６０４、１ｓｔＩＦフィルタ６０６、ＴｘＩＦフィルタ６２１、Ｔｘ段間フィルタ６２３には、上述した本実施の形態に記載のＳＡＷ装置が好適に利用できる。
【００４５】
本発明にかかるＳＡＷ装置は、振幅差や位相差といった平衡度が改善されているという優れた特性を有するものである。よって、上記ＳＡＷ装置を有する本発明の通信機は、伝送特性を向上できるものとなっている。
【産業上の利用可能性】
【００４６】
本発明のＳＡＷ装置は、フィルタ機能と共に平衡−不平衡変換機能を備えた複合化されたものであるので、小型化が要求される、携帯電話といった通信機の分野に好適に利用できる。
【図面の簡単な説明】
【００４７】
【図１】本発明の実施の第一形態に係るＳＡＷ装置の概略構成図である。
【図２】上記ＳＡＷ装置の要部拡大図である。
【図３】上記ＳＡＷ装置及びそれを収納したパッケージの断面図である。
【図４】上記実施の第一形態と、比較例との各ＳＡＷ装置における周波数とコモンモード減衰率との関係を示すグラフである。
【図５】上記実施の第一形態と、比較例との各ＳＡＷ装置における周波数と挿入損失との関係を示すグラフである。
【図６】上記比較例のＳＡＷ装置の概略構成図である。
【図７】上記ＳＡＷ装置及びそれを収納した他のパッケージの断面図である。
【図８】上記ＳＡＷ装置及びそれを収納したさらに他のパッケージの断面図である。
【図９】上記実施の第一形態の一変形例を示す概略構成図である。
【図１０】上記実施の第一形態の他の変形例を示す概略構成図である。
【図１１】上記実施の第一形態のさらに他の変形例を示す概略構成図である。
【図１２】上記実施の第一形態のさらに他の変形例を示す概略構成図である。
【図１３】本発明の実施の第二形態に係る通信機のブロック図である。
【図１４】従来のＳＡＷ装置の概略構成図である。
【図１５】上記従来のＳＡＷ装置の平面図である。
【符号の説明】
【００４８】
２００：圧電基板
２０１、２０２：ＳＡＷフィルタ素子（弾性表面波フィルタ素子）
２０７〜２０９、２２０〜２２２：ＩＤＴ（くし型電極部）
２１４：不平衡信号端子
２１５、２１６：平衡信号端子
８０１、８０２：１ポートＳＡＷ共振子（１ポート弾性表面波共振子）
８０３、８０６：ＩＤＴ（くし型電極部）
８０４、８０５、８０７、８０８：二分割バスバー
【図１】
2005223810.tif 000003
【図２】
2005223810.tif 000004
【図３】
2005223810.tif 000005
【図４】
2005223810.tif 000006
【図５】
2005223810.tif 000007
【図６】
2005223810.tif 000008
【図７】
2005223810.tif 000009
【図８】
2005223810.tif 000010
【図９】
2005223810.tif 000011
【図１０】
2005223810.tif 000012
【図１１】
2005223810.tif 000013
【図１２】
2005223810.tif 000014
【図１３】
2005223810.tif 000015
【図１４】
2005223810.tif 000016
【図１５】
2005223810.tif 000017